(57)【要約】【課題】  従来の外部装置を接続したファクシミリ装置では、受信した画像データを保存しておくための大容量のメモリを持っていた。【解決手段】  外部装置を接続するインターフェース手段、受信画像をインターフェース手段を介して外部装置へ転送する転送手段、相手先の電話番号が登録されている電話番号と一致すれば、転送手段に転送を実行させる制御手段。【選択図】  図２
2005198127.tif 000002
【特許請求の範囲】
【請求項１】
発呼側の電話番号を通知する手段を有する電話回線に接続されたファクシミリ装置において、前記電話番号を検出する手段と、外部装置とのインターフェースを行う手段と、予め電話番号を登録する記憶手段とを有し、ファクシミリ受信時に前記電話番号を検出する手段において検出した発呼側の電話番号と、前記記憶手段に予め登録された電話番号とが一致した場合、受信した画像データとその通信情報を前記外部装置とのインターフェース手段を介して外部装置側へ転送し、外部装置側で受信した画像データを保管する事を特徴とするファクシミリ装置。
【請求項２】
第１項記載のファクシミリ装置において、通信情報を記憶する手段と、ファクシミリの状態を表示する表示手段と、本ファクシミリ装置をオペレータが操作する手段とを有し、ファクシミリ受信時に前記電話番号を検出する手段において検出した発呼側の電話番号と、予め登録された電話番号が一致した場合、受信した画像データが外部装置に保管されたことを示す情報を、前記通信情報を記憶する手段に記憶し、さらにオペレータの操作により、前記通信情報を前記表示手段において表示する事を特徴とするファクシミリ装置。
【請求項３】
第１項乃至第２項記載のファクシミリ装置において、画像データ印字する手段を有し、前記表示手段において表示した通信情報からオペレータが所定の画像を指定し、外部装置から指定された画像データを前記外部装置とのインターフェース手段を介して本ファクシミリ装置に転送して所定の画像を印字する事を特徴とするファクシミリ装置。
【発明の詳細な説明】
【技術分野】
【０００１】
本発明は、発呼側の電話番号を通知する電話回線に接続され、かつホストコンピュータ等の外部装置とのインターフェースを有するファクシミリ装置に関するものである。
【背景技術】
【０００２】
従来、この種のファクシミリ装置は、電話回線から送られてきた発呼側の電話番号の利用方法として、ファクシミリ装置のＬＣＤ表示部等にかかってきた相手の電話番号を表示したり、発呼側の電話番号により呼び出し音を鳴り分けるものでしかなかった。また、外部装置とのインターフェースをもつファクシミリ装置では、受信した画像データや通信情報を単に外部装置側へ転送するものであった（例えば特許文献１）。
【特許文献１】特開平８−２６５５２７号公報
【発明の開示】
【発明が解決しようとする課題】
【０００３】
しかしながら、上記従来のファクシミリ装置では、特に外部装置が接続されないファクシミリでは、受信した画像データの全てを保存しておくような大容量のメモリがないため、重要度の高い相手から受信した画像データを保管しておくことができなかった。また、外部装置が接続されたファクシミリ装置においては、受信した画像データ全てを外部装置に転送するため、外部装置側に大容量のメモリが必要であった。
【０００４】
また、従来の外部装置を接続したファクシミリ装置では、外部装置が受信データの管理を行うため、外部装置の処理負荷が非常に大きいとともに、オペレータがファクシミリ装置側において、外部装置に保管した画像データの有無を確認することができなかった。
【０００５】
さらに、従来の外部装置を接続したファクシミリ装置では、受信した画像の内容を確認するためには、オペレータが外部装置を操作しなければならず、ファクシミリ装置側において受信画像を確認することができなかった。
【課題を解決するための手段】
【０００６】
本発明は上記の問題点を解決する事を目的とする。
【０００７】
本発明に係わる第１の発明（請求項１）では、発呼側の電話番号を通知する手段を有する電話回線に接続されたファクシミリ装置において、前記電話番号を検出する手段と、外部装置とのインターフェースを行う手段と、予め電話番号を登録する記憶手段とを有し、ファクシミリ受信時に前記電話番号を検出する手段において検出した発呼側の電話番号と、前記記憶手段に予め登録された電話番号とが一致した場合、受信した画像データとその通信情報を前記外部装置とのインターフェース手段を介して外部装置側へ転送し、外部装置側で受信した画像データを保管する手段を設けたものである。
【０００８】
本発明に係わる第２の発明（請求項２）では、通信情報を記憶する手段と、ファクシミリの状態を表示する表示手段と、本ファクシミリ装置をオペレータが操作する手段とを有し、ファクシミリ受信時に前記電話番号を検出する手段において検出した発呼側の電話番号と、予め登録された電話番号が一致した場合、受信した画像データが外部装置に保管されたことを示す情報を、前記通信情報を記憶する手段に記憶し、さらにオペレータの操作により、前記通信情報を前記表示手段において表示する手段を設けたものである。
【０００９】
本発明に係わる第３の発明（請求項３）では、画像データ印字する手段を有し、前記表示手段において表示した通信情報からオペレータが所定の画像を指定し、外部装置から指定された画像データを前記外部装置とのインターフェース手段を介して本ファクシミリ装置に転送して所定の画像を印字する手段を設けたものである。
【００１０】
［作用］
本発明は、ファクシミリ装置において、特定の相手から受信した画像データをファクシミリ装置に接続された外部装置側で保管するとともに、その旨を通信情報としてファクシミリ装置内のメモリに記憶し、さらに、外部装置の画像データをファクシミリ側からオペレータの指示によって印字できるようにしたものである。
【発明の効果】
【００１１】
以上説明したように、本出願に係わる第１の発明（請求項１）によれば、発呼側の電話番号が予め登録した電話番号の場合に、受信した画像データを外部装置のメモリに格納するため、ファクシミリ装置のメモリが少なくても、重要度の高い相手から受信した画像データを保管しておくことが可能である。また、発呼側の電話番号により、選択的に受信データを外部装置側のメモリに蓄積するため、従来に比べ外部装置のメモリ量を低減する事が可能である。
【００１２】
次に、本出願に係わる第２の発明（請求項２）によれば、ファクシミリ装置に記憶された受信結果リスト内に、外部装置に受信データが有るか否かの情報を保持しているため、従来に比べ外部装置における受信データの管理を簡素化できる。さらに、オペレータがファクシミリ装置側から、外部装置に保管した画像データの有無を容易に確認することも可能である。
【００１３】
次に、本出願に係わる第３の発明（請求項３）によれば、ファクシミリ装置側からのオペレータの指示により、外部装置にある受信データをファクシミリ装置において印字出力できるため、従来のように外部装置を操作することなく容易に受信データを確認することができる。
【発明を実施するための最良の形態】
【００１４】
以下、添付図面を参照して、本発明を詳細に説明する。
【００１５】
図１は、本発明を実施したファクシミリ装置のブロック構成図である。以下、これらの各部について説明する。
【００１６】
１００は本発明を実施したファクシミリ装置であり、このファクシミリ装置には加入者回線およびホストコンピュータ等の外部装置が接続される。
【００１７】
ＣＰＵ１０１は、ＲＯＭ１０２に記憶されているプログラムに従い、ＲＡＭ１０３、不揮発性ＲＡＭ１０４、操作部１０５、表示部１０６、画像処理部１０７、読取部１０８、記録部１０９、駆動部１１０、モデム１１１、ＮＣＵ１１２、相手電話番号検出部１１３、センサ部１１４、外部ｉ／ｆ部１１６をそれぞれ制御し、さらには本発明のファクシミリ装置全体の制御を行うものである。
【００１８】
ＲＡＭ１０３は、読取部１０８で読み取った後に画像処理部１０７において処理を施した画像データや、記録部１０９で記録される画像データを格納するものである。また、モデム１１１によって変調されＮＣＵ１１２を介して加入者回線１１５から出力される二値化データを格納する。さらには、加入者回線１１５からＮＣＵ１１２を介して入力されたアナログ信号を、モデム１１１によって復調して得られた二値化データを格納するためにも用いられる。
【００１９】
不揮発性ＲＡＭ１０４は、バッテリー等でバックアップされたＳＲＡＭやフラッシュメモリ等で構成され、装置固有の情報、短縮ダイヤルに登録された電話番号、ユーザー略称、通信結果等が記憶され、さらに、後で詳しく述べる着信した電話番号と比較するための電話番号を予め登録するメモリである。これらの情報は、オペレータの指示により表示部１０６に表示もしくは記録部１０９で印字出力できる。
【００２０】
操作部１０５は、送信、受信などのスタートキーと、送信画像におけるファイン、スタンダードなどの画質モードを指定するモードキーと、複写時におけるコピーキーと、動作を停止させるストップキーと、発呼時に電話番号を入力するダイヤルキーと、ファクシミリの動作モードを指定する設定キーなどから構成される。なお、ＣＰＵ１０１はこれらのキーの押下状態を検出して、その状態に応じて各部を制御する。
【００２１】
表示部１０６は、ドットマトリックスタイプのＬＣＤ（液晶表示器）とＬＣＤドライバー、さらにはＬＥＤなどから構成され、ＣＰＵ１０１からの制御に基づいて各種の表示を行ない、ユーザにファクシミリの動作状態を知らしめる。
【００２２】
画像処理部１０７は、読取部１０８を制御するクロック供給回路、ピークホールド回路、Ａ／Ｄ変換回路、シェーディング補正回路、解像度変換回路、エッジ強調回路、γ補正回路などから構成され、読取部１０８によって読み取られた画像データに、２値もしくは多値の画像処理を施し、処理した画像データをＲＡＭ１０３に転送する。
【００２３】
読取部１０８は、ＣＣＤもしくは密着型イメージセンサ（ＣＳ）等の光電変換手段を具備し、ＣＰＵ１０１の制御に基づいて、ＣＣＤまたはＣＳを使用して原稿を読み取り、画像データを順次画像処理部１０７に送るものである。
【００２４】
記録部１０９は、サーマルヘッドまたはＢＪプリンターヘッド（バブルジェット（登録商標）プリンターヘッド）及び汎用ＩＣなどによって構成され、ＣＰＵ１０１の制御によってＲＡＭ１０３に格納されている記録データを取り出し、ハードコピーとしてプリントアウトするものである。
【００２５】
駆動部１１０は、読取部１０８及び記録部１０９の給排紙ローラを駆動するためのステッピングモータと、モータの駆動力を伝達するためのギヤと、モータを制御するためのドライバー回路などから構成される。
【００２６】
モデム１１１は、Ｖ．３４、Ｖ．３２、Ｖ．３２ｂｉｓ、Ｖ．１７、Ｖ．２９、Ｖ．２７ｔｅｒ、Ｖ．２３、Ｖ．２１（Ｈ、Ｌ）モデムと、これらのモデムに接続されたクロック発生回路などから構成され、ＣＰＵ１０１の制御に基づいてＲＡＭ１０３に格納されている送信データを変調し、ＮＣＵ１１２を介して加入者回線１１５に出力するものである。さらにモデム１１１は、加入者回線１１５からのアナログ信号をＮＣＵ１１２を介して受信し、これを復調して二値化したデータをＲＡＭ１０３に格納するものである。
【００２７】
ＮＣＵ１１２は、直流の捕捉回路、交流の捕捉回路、Ｃｉ（呼出信号）検出回路、２線４線変換回路等からなり、加入者回線１１５をモデム１１１に接続するものである。さらに、ハンドセット（電話機）等も、ＮＣＵ１１２に接続可能である。
【００２８】
相手電話番号検出部１１３は、Ｃｉ信号の間に交換機が発生させる相手先電話番号を検出するための検出部であり、６００オームで交流的に捕捉し、その発生信号から電話番号を検出する部分である。
【００２９】
加入者回線１１５は、発呼側の電話番号を通知することが可能な公衆電話回線であり、本ファクシミリ装置のＮＣＵ１１２に接続される。
【００３０】
センサ部１１６は、記録紙幅センサ、記録紙有無センサ、原稿幅センサ及び、原稿有無センサから構成され、ＣＰＵ１０１はセンサ部１１６の状態から原稿及び記録紙の状態検知を行う。
【００３１】
外部ｉ／ｆ部１１６は、一般的なシリアルインターフェースまたは双方向パラレルインターフェースで、ドライブバッファー、コネクタ等で構成され、接続ケーブル等を介して、本ファクシミリとホストコンピュータ等の外部装置と接続するためのものである。この外部ｉ／ｆ部１１６を介して、ＲＡＭ１０３の画像データや、不揮発性ＲＡＭ１０４に記憶された情報を外部装置へ転送する。さらに、この外部ｉ／ｆ部１１６を介して外部装置から画像データを受信し、ＲＡＭ１０３へ格納する。
【００３２】
１１７は本ファクシミリ装置１００に接続された外部装置で、スタンドアロンのパーソナルコンピュータやネットワークに接続されたホストコンピュータである。外部装置１１７は、外部ｉ／ｆ部１１６に対応するインターフェースとメモリ１１８を有し、本ファクシミリ装置で受信した画像データをメモリ１１８に蓄積できる。
【００３３】
以上が、本発明を実現するためのファクシミリ装置の構成図の説明である。
【００３４】
次に、図１の構成図と、図２および図３のフローチャートに従い、本発明の動作について説明する。
【００３５】
図２は、本発明のファクシミリ装置における受信動作のフローチャートである。まず、ＮＣＵ１１２において加入者回線１１５からの着信信号を検出後（ステップＳ２００）、加入者回線１１５から来る相手電話番号情報を、ＮＣＵ１１２を介して相手電話番号検出部１１３に転送して、この相手電話番号検出部１１３において、着信したファクシミリ通信相手の電話番号を検出する（ステップＳ２０１）。
【００３６】
次に、不揮発性ＲＡＭ１０４に予め登録した電話番号と、着信したファクシミリ通信相手の電話番号を比較し（ステップＳ２０２）一致しなかった場合は、続いて加入者回線１１５から入力される画像信号（アナログ信号）をＮＣＵ１１２を介してモデム１１１に転送し、さらに、モデム１１１においてアナログ信号をデジタル信号に復調して、ＲＡＭ１０３に格納する（ステップ２０３）。さらに、ＲＡＭ１０３に格納した画像データを、必要に応じて画像処理部１０７において画像処理を施し、処理された画像データを記録部１１０において印字する（ステップＳ２０４）。また、このファクシミリ受信の時刻や相手先電話番号等の受信結果を、不揮発性ＲＡＭ１０４に格納してある受信結果リストに追加して（ステップＳ２０７）、受信処理を終了する。
【００３７】
また、受信時に不揮発性ＲＡＭ１０４に予め登録した電話番号と、着信した電話番号を比較し（ステップＳ２０２）一致した場合は、続いて加入者回線１１５から入力される画像信号（アナログ信号）をＮＣＵ１１２を介してモデム１１１に転送し、さらに、モデム１１１においてアナログ信号からデジタル信号に復調して、ＲＡＭ１０３に格納する（ステップ２０５）。さらに、ＲＡＭ１０３に格納した画像データを、必要に応じて画像処理部１０７で画像処理を施し、処理された画像データおよび、この受信の受信リストナンバーを外部ｉ／ｆ部１１６を介して外部装置１１７に転送する（ステップＳ２０６）。また、このファクシミリ受信の時刻や相手先電話番号等の受信結果と、外部装置に画像データがある事を示す情報を、不揮発性ＲＡＭ１０４に格納してある受信結果リストに追加して（ステップＳ２０７）、受信処理する。
【００３８】
外部装置１１７では、外部ｉ／ｆ部１１６を介して本ファクシミリ装置から受信リストナンバーと画像データを順次受け取り、外部装置内にあるメモリ１１８に、これらの情報を格納する。
【００３９】
図３は、本発明のファクシミリ装置で受信した画像データのうち、外部装置に転送された画像データを印字する時の動作を示すフローチャートである。以下、この動作について説明する。
【００４０】
図４は不揮発性ＲＡＭ１０４に格納されている受信結果リストである。このリストには、受信時の受信リストナンバー、相手先電話番号、受信日時等が格納されている。さらに、外部装置１１７に受信した画像データが有るか否かを示す情報が含まれる。
【００４１】
まず、オペレータにより操作部１０５において、受信リストを表示する旨の指示がなされた場合、図４に示す受信結果リストを表示部１０６において表示する。さらに表示したリストの中から、オペレータにより印字の指示がなされた場合（ステップＳ３００）、その受信データが外部装置１１７に有るか否かを判断する（ステップＳ３０１）。外部装置１１７に指示された画像データがない場合は、表示部１０６にエラーである事を表示して（ステップＳ３０２）処理を終了する。
【００４２】
オペレータにより印字の指示がなされた受信データが外部装置１１７にある場合は、その受信結果リストの受信リストナンバーを、外部ｉ／ｆ部１１６を介して外部装置側へ転送し、外部装置にその画像データを本ファクシミリ装置側に転送する旨を指示する（ステップＳ３０３）。
【００４３】
外部装置側ではメモリ１１８に記憶された画像データの中から、指定された受信リストナンバーの画像データを読み出して、ファクシミリ装置１００側へ画像データを転送する（ステップＳ３０４）。
【００４４】
ファクシミリ装置１００側では、外部ｉ／ｆ部１１６を介して画像データを受信し（ステップＳ３０４）、この画像データをＲＡＭ１０３に記憶する。さらに、ＲＡＭ１０３の画像データを記録部１０９に転送し、画像を印字して（ステップＳ３０５）処理を終了する。
【００４５】
以上が、本発明の動作説明である。
【００４６】
なお、上記の実施例ではファクシミリにホストコンピュータ等の外部装置を接続し、外部装置上のメモリに受信データを蓄積したが、ファクシミリ装置にハードディスクやＭＯ（光磁気ディスク）などの外部デバイスを接続し、ＣＰＵ１０１においてそれらのデバイスを直接制御して、そのデバイスに受信画像データを蓄積しても構わない。
【００４７】
また、上記の実施例では受信結果リストをファクシミリの操作部に表示したが、オペレータの操作により、受信結果リストを記録部１０９で印刷して、そのリストから外部装置側にある受信画像データの確認、および印字の指示をしても良い。
【図面の簡単な説明】
【００４８】
【図１】本発明の実施例におけるファクシミリの構成を示すブロック図。
【図２】本発明の実施例におけるファクシミリ受信の動作を示すフローチャート。
【図３】本発明の実施例における受信データの印字動作を示すフローチャート。
【図４】受信結果リストを示す図。
【符号の説明】
【００４９】
１００  本発明のファクシミリ装置
１０１  ＣＰＵ
１０２  ＲＯＭ
１０３  ＲＡＭ
１０４  不揮発性ＲＡＭ
１０５  操作部
１０６  表示部
１０７  画像処理部
１０８  読取部
１０９  記録部
１１０  駆動部
１１１  モデム
１１２  ＮＣＵ
１１３  相手電話番号検出部
１１４  センサ部
１１５  加入者回線
１１６  外部ｉ／ｆ部
１１７  外部装置
１１８  外部装置上のメモリ
【図１】
2005198127.tif 000003
【図２】
2005198127.tif 000004
【図３】
2005198127.tif 000005
【図４】
2005198127.tif 000006